(57)【要約】  本開示のある態様は、無線通信のための技術と装置を提供する。ある態様によれば、第１のセルの基地局に割り当てられ、第２のセルの送信を制限することによって保護される、保護されたリソースの第１の組が決定され、リソースの組において基地局からの第１の基準信号の受信電力が計測される。ある態様によれば、１組の保護されたリソースにおける減少された干渉を有する1つまたは複数の近隣値基地局のサブセットが決定され、近隣セルのサブセットに係る受信電力計測は、サブフレームに係る受信信号品質計測を計算するときに除かれる。
2013524736.tif 000002
【特許請求の範囲】
【請求項１】
第１のセルの基地局に割り当てられ、第２のセルの送信を制限することにより保護される、１組の保護されたリソースを決定することと;
前記リソースの組において、前記基地局からの第１の基準信号の受信電力を計測することと；
を備える無線通信のための方法。
【請求項２】
前記第１の基準信号の前記受信電力に基づいて、前記基地局の基準信号受信電力(reference signal received power：ＲＳＲＰ）を決定すること、をさらに備える請求項１に記載の方法。
【請求項３】
前記保護されたリソースの組においてデータを送信することを禁じられる、干渉を与える基地局を特定することと;
前記保護されたリソースの組において、前記干渉を与える基地局からの第２の基準信号により干渉を推定することと;
干渉が消去された信号を得るために、受信信号から前記推定された干渉を引くことと；
を備え、
前記第１の基準信号の前記受信電力は、前記干渉が消去された信号に基づいて計測される、
請求項１に記載の方法。
【請求項４】
前記基地局の前記第１の基準信号が前記干渉を与える基地局の前記第２の基準信号と衝突するかどうかを決定すること、をさらに備え、
前記第１の基準信号が前記第２の基準信号と衝突する場合、前記第２の基準信号による前記干渉が推定され、消去される、
請求項３に記載の方法。
【請求項５】
前記保護されたリソースの組において合計受信電力を計測することと;
前記第１の基準信号の前記受信電力と前記保護されたリソースの組における合計受信電力とに基づいて、前記基地局からの前記第１の基準信号の受信品質を決定することと；
をさらに備える、請求項１に記載の方法。
【請求項６】
前記第１の基準信号の前記受信品質に基づいた前記基地局の基準信号受信品質（reference signal received quality：ＲＳＲＰ）を決定すること、をさらに備える、請求項５に記載の方法。
【請求項７】
前記保護されたリソースの組においてデータを送信することを禁止された干渉を与える基地局を特定することと;
前記保護されたリソースの組において前記干渉を与える基地局からの第２の基準信号の受信電力を推定することと;
修正された合計受信電力を得るために、前記保護されたリソースの組において、前記合計受信電力から前記第２の基準信号の前記受信電力を引くことと；
をさらに備え、
前記第１の基準信号の前記受信品質は、前記修正された合計受信電力に基づいて決定される、
請求項５に記載の方法。
【請求項８】
前記第２の基準信号前記受信電力を引くことは、前記合計受信電力を計算処理するために使用される前記信号から前記干渉を与える基地局のＣＲＳ（セル固有基準信号）の消去によって暗黙に実行される、請求項７に記載の方法。
【請求項９】
前記第１の基準信号の前記受信品質は、次式
【数１】
2013524736.tif 000010
のように決定され、ここで、
ターゲットＢＳのＲＳＲＰ（RSRP of Target BS）は前記第１の基準信号の前記受信電力であり、
干渉を与えるＢＳのＲＳＲＰ（RSRP of Interfering BS）は前記第２の基準信号の前記受信電力であり、
ＲＳＳＩは、前記保護されたリソースの組における合計受信電力であり、
ＲＳＲＱは前記第１の基準信号の前記受信品質であり、
ＮＲＢはＲＳＳＩを計測するために使用されるリソースブロックの数である、
請求項７に記載の方法。
【請求項１０】
干渉を与える基地局に係るＲＰＩ（リソース分割情報）を受け取ることと;
前記干渉を与える基地局が、前記干渉を与える基地局に係る前記ＲＰＩに基づいて、前記保護されたリソースの組においてデータを送信することを禁止されることを決定することと；
をさらに備える、請求項９に記載の方法。
【請求項１１】
前記保護されたリソースの組は、第１のセルの送信は保護される、ＲＰＩ（リソース分割情報）によって示された基地局に割り当てられるサブフレームの第１の組を備え、その中で、第１のセルにおける送信は、前記第２のセルにおいて送信を制限することにより保護される、請求項９に記載の方法。
【請求項１２】
前記保護されたリソースの組は、サブバンドあるいはリソースブロック（ＲＢ）の組の少なくとも1つを備える、請求項１に記載の方法。
【請求項１３】
第１のセルの基地局に割り当てられた1組の保護されたリソースにおいて制限された送信を有する近隣基地局のサブセットを決定することと;
前記サブフレームに係る受信信号品質の計測を計算するときに、前記近隣セルのサブセットに係る受信電力計測を除くことと；
を備える、無線通信のための方法。
【請求項１４】
前記保護されたリソースの組において（送信制限による）減らされた干渉を引き起こす前記近隣基地局のサブセットを示すリソース分割情報（resource partitioning information：ＲＰＩ）を受けることを備える、請求項１３に記載の方法。
【請求項１５】
前記保護されたリソースの組は、前記ＲＰＩによって示された基地局に割り当てられたサブフレームの第１のサブセットを備え、その中で、前記第１のセルにおける送信は、前記第２のセルにおける送信を制限することにより保護される、請求項１４に記載の方法。
【請求項１６】
前記保護されたリソースの組は、サブバンドあるいはリソースブロック（ＲＢ）の組の少なくとも1つを備える、請求項１３に記載の方法。
【請求項１７】
前記決定することは、前記近隣値基地局から送信された受信される信号に基づいて、前記近隣基地局のサブセットを決定することを備える、請求項１３に記載の方法。
【請求項１８】
前記決定することは、閉じた加入者グループ（ＣＳＧ）のメンバーであるセルに対応する１つまたは複数の近隣基地局を決定することを備える、請求項１３に記載の方法。
【請求項１９】
前記決定することは、干渉消去（ＩＣ）が無ＩＣに較べて十分な利得を与えるような１または複数の近隣基地局を決定する、請求項１３に記載の方法。
【請求項２０】
前記決定することは、ＵＥが前記基本同期信号を成功裡に検知することができるような、１つまたは複数の近隣基地局を決定することを備える、請求項１３に記載の方法。
【請求項２１】
前記決定することは、近隣基地局を含むべきかそうでないかを決めるために、前記サービスを提供する基地局のＣＲＳ（セル固有基準信号）位置に関して、各近隣基地局の前記ＣＲＳ位置についての知識を使用することを備える、請求項２０に記載の方法。
【請求項２２】
前記決定することは、前記近隣基地局のサブセットを示す、物理セル識別子（ＰＣＩ）の放送リストを受け取ることを備える、請求項１３に記載の方法。
【請求項２３】
前記サブフレームに係る受信信号品質計測を計算するときに前記近隣セルのサブセットに係る受信電力計測を除くことは、受信信号強度計算から前記近隣セルのサブセットに係る受信電力計測を除外することか、前記受信信号品質を計算処理する前に前記近隣基地局のサブセットによって送信されるＣＲＳ（セル固有基準信号）に係るＣＲＳ干渉消去を行うことか、の少なくとも１方を備える、請求項１３に記載の方法。
【請求項２４】
前記サブフレームに係る受信信号品質計測を計算するときに、前記近隣値セルのサブセットに係る受信電力計測を除外することは、前記近隣値セルのサブセットに係る基準信号受信電力 （reference signal receive power：ＲＳＲＰ）計測を除外することを備える、請求項１３に記載の方法。
【請求項２５】
第１のセルの基地局に割り当てられ、第２のセルの送信を制限することにより保護される、１組の保護されたリソースを決定するための手段と;
前記リソースの組において、前記基地局からの第１の基準信号の受信電力を計測するための手段と；
を備える無線通信のための装置。
【請求項２６】
前記第１の基準信号の前記受信電力に基づいて、前記基地局の基準信号受信電力(reference signal received power：ＲＳＲＰ）を決定するための手段と、をさらに備える請求項２５に記載の装置。
【請求項２７】
前記保護されたリソースの組においてデータを送信することを禁じられる、干渉を与える基地局を特定するための手段と;
前記保護されたリソースの組において、前記干渉を与える基地局からの第２の基準信号により干渉を推定するための手段と;
干渉が消去された信号を得るために、受信信号から前記推定された干渉を引くための手段と；
を備え、
前記第１の基準信号の前記受信電力は、前記干渉が消去された信号に基づいて計測される、
請求項２５に記載の装置。
【請求項２８】
前記基地局の前記第１の基準信号が前記干渉を与える基地局の前記第２の基準信号と衝突するかどうかを決定するための手段と、をさらに備え、
前記第１の基準信号が前記第２の基準信号と衝突する場合、前記第２の基準信号による前記干渉が推定され、消去される、
請求項２７に記載の装置。
【請求項２９】
前記保護されたリソースの組において合計受信電力を計測するための手段と;
前記第１の基準信号の前記受信電力と前記保護されたリソースの組における合計受信電力とに基づいて、前記基地局からの前記第１の基準信号の受信品質を決定するための手段と；
をさらに備える、請求項２５に記載の装置。
【請求項３０】
前記第１の基準信号の前記受信品質に基づいた前記基地局の基準信号受信品質（reference signal received quality：ＲＳＲＰ）を決定するための手段と、をさらに備える、請求項２９に記載の装置。
【請求項３１】
前記保護されたリソースの組においてデータを送信することを禁止された干渉を与える基地局を特定するための手段と;
前記保護されたリソースの組において前記干渉を与える基地局からの第２の基準信号の受信電力を推定するための手段と;
修正された合計受信電力を得るために、前記保護されたリソースの組において、前記合計受信電力から前記第２の基準信号の前記受信電力を引くための手段と；
をさらに備え、
前記第１の基準信号の前記受信品質は、前記修正された合計受信電力に基づいて決定される、
請求項２９に記載の装置。
【請求項３２】
前記第２の基準信号前記受信電力を引くことは、前記合計受信電力を計算処理するために使用される前記信号から前記干渉を与える基地局のＣＲＳ（セル固有基準信号）の消去によって暗黙に実行される、請求項３１に記載の装置。
【請求項３３】
前記第１の基準信号の前記受信品質は、次式
【数２】
2013524736.tif 000011
のように決定され、ここで、
ターゲットＢＳのＲＳＲＰ（RSRP of Target BS）は前記第１の基準信号の前記受信電力であり、
干渉を与えるＢＳのＲＳＲＰ（RSRP of Interfering BS）は前記第２の基準信号の前記受信電力であり、ＲＳＳＩは、前記保護されたリソースの組における合計受信電力であり、
ＲＳＲＱは前記第１の基準信号の前記受信品質であり、
ＮＲＢはＲＳＳＩを計測するために使用されるリソースブロックの数である、
請求項３１に記載の装置。
【請求項３４】
前記基地局に係るリソース分割情報（resource partitioning information：ＲＰＩ）を受け取るための手段と；
前記基地局に係るＲＰＩ（リソース分割情報）に基づいて前記保護ざれたリソースの組を特定するための手段と；
をさらに備える、請求項２５に記載の装置。
【請求項３５】
干渉を与える基地局に係るＲＰＩを受け取るための手段と;
前記干渉を与える基地局が、前記干渉を与える基地局に係る前記ＲＰＩに基づいて、前記保護されたリソースの組においてデータを送信することを禁止されることを決定するための手段と；
をさらに備える、請求項３４に記載の装置。
【請求項３６】
前記保護されたリソースの組は、前記ＲＰＩによって示された基地局に割り当てられたサブフレームの第１のサブセットを備え、その中で、前記第１のセルにおける送信は、前記第２のセルにおける送信を制限することにより保護される、請求項３４に記載の装置。
【請求項３７】
前記保護されたリソースの組は、サブバンドあるいはリソースブロック（ＲＢ）の組の少なくとも1つを備える、請求項２５に記載の装置。
【請求項３８】
第１のセルの基地局に割り当てられた1組の保護されたリソースにおいて制限された送信を有する近隣基地局のサブセットを決定するための手段と；
前記サブフレームに係る受信信号品質の計測を計算するときに、前記近隣セルのサブセットに係る受信電力計測を除くための手段と；
を備える、無線通信のための装置。
【請求項３９】
前記保護されたリソースの組において（送信制限による）減らされた干渉を引き起こす前記近隣基地局のサブセットを示すリソース分割情報（resource partitioning information：ＲＰＩ）を受け取るための手段を備える、請求項３８に記載の装置。
【請求項４０】
前記保護されたリソースの組は、前記ＲＰＩによって示された基地局に割り当てられたサブフレームの第１のサブセットを備え、その中で、前記第１のセルにおける送信は、前記第２のセルにおける送信を制限することにより保護される、請求項３９に記載の装置。
【請求項４１】
前記保護されたリソースの組は、サブバンドあるいはリソースブロック（ＲＢ）の組の少なくとも1つを備える、請求項３８に記載の装置。
【請求項４２】
前記決定するための手段は、前記近隣値基地局から送信された受信される信号に基づいて、前記近隣基地局のサブセットを決定するための手段を備える、請求項３８に記載の装置。
【請求項４３】
前記決定するための手段は、閉じた加入者グループ（ＣＳＧ）のメンバーであるセルに対応する１つまたは複数の近隣基地局を決定するための手段を備える、請求項３８に記載の装置。
【請求項４４】
前記決定するための手段は、干渉消去（ＩＣ）が無ＩＣに較べて十分な利得を与えるような１または複数の近隣基地局を決定するための手段、請求項３８に記載の装置。
【請求項４５】
前記決定するための手段は、ＵＥが前記基本同期信号を成功裡に検知することができるような、１つまたは複数の近隣基地局を決定することを備える、請求項３８に記載の装置。
【請求項４６】
前記決定するための手段は、近隣基地局を含むべきかそうでないかを決めるために、前記サービスを提供する基地局のＣＲＳ（セル固有基準信号）位置に関して、各近隣基地局の前記ＣＲＳ位置についての知識を使用するための手段を備える、請求項４５に記載の装置。
【請求項４７】
前記サブフレームに係る受信信号品質計測を計算するときに前記近隣セルのサブセットに係る受信電力計測を除くための手段は、受信信号強度計算から前記近隣セルのサブセットに係る受信電力計測を除外するための手段か、前記受信信号品質を計算処理する前に前記近隣基地局のサブセットによって送信されるＣＲＳ（セル固有基準信号）に係るＣＲＳ干渉消去を行うための手段か、の少なくとも１方を備える、請求項３８に記載の装置。
【請求項４８】
前記サブフレームに係る受信信号品質計測を計算するときに、前記近隣値セルのサブセットに係る受信電力計測を除外するための手段は、前記近隣値セルのサブセットに係る基準信号受信電力 （reference signal receive power：ＲＳＲＰ）計測を除外するための手段を備える、請求項３８に記載の装置。
【請求項４９】
第１のセルの基地局に割り当てられ、第２のセルの送信を制限することにより保護される、１組の保護されたリソースを決定し、前記リソースの組において、前記基地局からの第１の基準信号の受信電力を計測するために構成される少なくとも１つのプロセッサと；
前記少なくとも１つのプロセッサに接続されるメモリと；
を備える無線通信のための装置。
【請求項５０】
第１のセルの基地局に割り当てられた1組の保護されたリソースにおいて制限された送信を有する近隣基地局のサブセットを決定し、前記サブフレームに係る受信信号品質の計測を計算するときに、前記近隣セルのサブセットに係る受信電力計測を除くために構成される少なくとも１つのプロセッサと；
前記少なくとも１つのプロセッサに接続されるメモリと；
を備える、無線通信のための装置。
【請求項５１】
その上に記憶された命令を有するコンピュータ可読媒体を備えるコンピュータプログラム製品であって、
前記命令は、１つまたは複数のプロセッサによって、
第１のセルの基地局に割り当てられ、第２のセルの送信を制限することにより保護される、１組の保護されたリソースを決定することと；
前記リソースの組において、前記基地局からの第１の基準信号の受信電力を計測することと；
のために実行可能である、コンピュータプログラム製品。
【請求項５２】
その上に記憶された命令を有するコンピュータ可読媒体を備えるコンピュータプログラム製品であって、
前記命令は、１つまたは複数のプロセッサによって、
第１のセルの基地局に割り当てられた1組の保護されたリソースにおいて制限された送信を有する近隣基地局のサブセットを決定することと；
前記サブフレームに係る受信信号品質の計測を計算するときに、前記近隣セルのサブセットに係る受信電力計測を除くことと；
のために実行可能である、コンピュータプログラム製品。
【発明の詳細な説明】
【優先権の主張】
【０００１】
本出願は、２０１０年４月１３日に出願された「MEASUREMENT OF RECEIVED POWER AND RECEIVED QUALITY IN A WIRELESS COMMUNICATION NETWORK」と題する米国仮出願６１/３２３，８２６号、および、２０１０年１０月１日に出願された「MEASUREMENT OF RECEIVED POWER AND RECEIVED QUALITY IN A WIRELESS COMMUNICATION NETWORK」と題する米国仮出願６１/３８９，０６７号に優先権を主張し、その両方の全てが、参照によって明示的にこの中に組み入れられる。
【技術分野】
【０００２】
本開示は、一般的にいって、通信に係り、特に、無線通信ネットワークの中で計測を行なうための技術に関する。
【背景技術】
【０００３】
無線通信ネットワークは、音声、ビデオ、パケットデータ、メッセージ、放送などの様々な通信コンテンツを提供するために広く展開されている。これらの無線ネットワークは、利用可能なネットワークリソースの共有により複数ユーザをサポートすることができる多元接続ネットワークであってよい。そのような多元接続ネットワークの例は、符号分割多元接続（ＣＤＭＡ）ネットワーク、時分割多元接続 （ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
無線通信ネットワークは、いくつかのユーザ機器（ＵＥ）のための通信をサポートすることができるいくつかの基地局を含み得る。ＵＥは、下りリンクと上りリンクを介して基地局と通信を行ない得る。下りリンク（順方向リンク）は、基地局からＵＥへの通信リンクをいい、上りリンク（あるいは逆方向リンク）は、ＵＥから基地局への通信リンクをいう。
【発明の概要】
【０００５】
本開示のある態様は、無線通信のための方法を提供する。方法は、一般的にいって、第１のセルの基地局に割り当てられ、第２のセルの送信を制限することによって保護される、保護されたリソースの組を決定することと、リソースの組の中の基地局からの第１の基準信号の受信電を計測することと、を含む。
【０００６】
本開示のある態様は、無線通信のための方法を提供する。方法は、一般的にいって、第１のセルの基地局に割り当てられた保護されたリソースの組における制限された送信を有する近隣基地局のサブセットを決定することと、サブフレームに係る受信信号品質の計測を計算するとき、近隣セルのサブセットに係る受信電力計測を除くことと、を含む。
【０００７】
本開示のある態様は、無線通信のための装置を提供する。装置は、一般的にいって、第１のセルの基地局に割り当てられ、第２のセルの送信を制限することによって保護される、保護されたリソースの組を決定するための手段と、リソースの組の中の基地局からの第１の基準信号の受信電を計測するための手段と、を含む。
【０００８】
本開示のある態様は、無線通信のための装置を提供する。装置は、一般的にいって、第１のセルの基地局に割り当てられた保護されたリソースの組における制限された送信を有する近隣基地局のサブセットを決定するための手段と、サブフレームに係る受信信号品質の計測を計算するとき、近隣セルのサブセットに係る受信電力計測を除くことための手段と、を含む。
【０００９】
本開示のある態様は、無線通信のために装置を提供する。装置は、一般的にいって、第１のセルの基地局に割り当てられ、第２のセルの送信を制限することによって保護される、保護されたリソースの組を決定し、リソースの組の中の基地局からの第１の基準信号の受信電を計測するために構成される少なくとも１つのプロセッサと、少なくとも１つのプロセッサに接続されるメモリと、を含む。
【００１０】
本開示のある態様は、無線通信のための装置を提供する。装置は、一般的にいって、第１のセルの基地局に割り当てられた保護されたリソースの組における制限された送信を有する近隣基地局のサブセットを決定し、サブフレームに係る受信信号品質の計測を計算するとき、近隣セルのサブセットに係る受信電力計測を除くために構成される少なくとも１つのプロセッサと、少なくとも１つのプロセッサに接続されるメモリと、を含む。
【００１１】
その上に格納された命令を有するコンピュータ可読媒体を備えるコンピュータプログラム製品であって、命令は、１つまたは複数のプロセッサにより、第１のセルの基地局に割り当てられ、第２のセルの送信を制限することによって保護される、保護されたリソースの組を決定し、リソースの組の中の基地局からの第１の基準信号の受信電を計測するために実行可能である。
【００１２】
その上に格納された命令を有するコンピュータ可読媒体を備えるコンピュータプログラム製品であって、命令は、１つまたは複数のプロセッサにより、第１のセルの基地局に割り当てられた保護されたリソースの組における制限された送信を有する近隣基地局のサブセットを決定し、サブフレームに係る受信信号品質の計測を計算するとき、近隣セルのサブセットに係る受信電力計測を除くために実行可能である。
【図面の簡単な説明】
【００１３】
【図１】図１は、無線通信ネットワークを示す。
【図２】図２は、基地局とＵＥのブロック図を示す。
【図３】図３は、周波数分割多重 （frequency division duplexing：ＦＤＤ）についてのフレーム構造を示す。
【図４】図４は、下りリンクに係る２つの例示のサブフレームフォーマットを示す。
【図５】図５は、例示の支配的（dominant）な干渉のシナリオを示す。
【図６】図６は、リソースの例示的な分割を示す。
【図７】図７は、本開示のいくつかの態様に従って、ＵＥによって行なわれ得る例示の動作を示す。
【図８】図８は、本開示のいくつかの態様に従って、ＢＳによって行なわれ得る例示の動作を示す。
【図９】図９は、本開示のいくつかの態様に従って、ＵＥによって行なわれ得る例示の動作を示す。
【詳細な説明】
【００１４】
この中に記載される技術は、ＣＤＭＡ、ＴＤＭＡ、ＦＤＭＡ、ＯＦＤＭＡ、ＳＣ−ＦＤＭＡ、および他のネットワークなどの様々な無線通信ネットワークのために使用され得る。「ネットワーク」、「システム」という用語は、しばしば、互換的に使用される。ＣＤＭＡネットワークは、ユニバーサル地上無線接続（Universal Terrestrial Radio Access：ＵＴＲＡ）、ｃｄｍａ２０００などの無線技術を実装し得る。ＵＴＲＡは、広帯域ＣＤＭＡ（Wideband CDMA：ＷＣＤＭＡ）、時分割同期ＣＤＭＡ（Time Division Synchronous CDMA：ＴＤ−ＳＣＤＭＡ）、およびＣＤＭＡの他の変形を含む。ｃｄｍａ２０００は、ＩＳ−２０００、ＩＳ−９５、およびＩＳ−８５６の規格をカバーする。ＴＤＭＡネットワークは、グローバル移動体通信システム（Global System for Mobile Communications：ＧＳＭ（登録商標））などの無線技術を実装し得る。ＯＦＤＭＡネットワークは、進化型ＵＴＲＡ（Evolved UTRA：ｅ−ＵＴＲＡ）、ウルトラモバイルブロードバンド（Ultra Mobile Broadband：ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装し得る。ＵＴＲＡおよびｅ−ＵＴＲＡは、ユニバーサル・モバイル・テレコミュニケーション・システム（Universal Mobile Telecommunication System：ＵＭＴＳ）の一部である。３ＧＰＰロングタームエボリューション（Long Term Evolution：ＬＴＥ）とＬＴＥアドバンスト（LTE-Advanced：ＬＴＥ−Ａ）は、周波数分割多重（frequency division duplexingＦＤＤ）と時分割多重（time division duplexing：ＴＤＤ）の両方において、下りリンク上でＯＦＤＭＡを、上りリンク上でＳＣ−ＦＤＭＡを利用するｅ−ＵＴＲＡを使用するＵＭＴＳの新版である。ＵＴＲＡ、ｅ−ＵＴＲＡ、ＵＭＴＳ、ＬＴＥ、ＬＴＥ−Ａ、およびＧＳＭは、「第三世代協同プロジェクト」（3rd Generation Partnership Project：３ＧＰＰ）という名の組織からのドキュメントに記載される。ｃｄｍａ２０００とＵＭＢは、「第三世代協同プロジェクト２」（３ＧＰＰ２）という名の組織からのドキュメントに記載される。この中に記載される技術は上記された無線ネットワークと無線ラジオ技術、並びに他の無線ネットワークと無線技術のために使用され得る。明瞭のために、技術のいくつかの態様は、ＬＴＥについて以下に記載され、ＬＴＥの用語が、以下の記述の多くの中で使用される。
【００１５】
図１は、ＬＴＥネットワークあるいはいくつかの他の無線ネットワークであってよい、無線通信ネットワーク１００を示す。無線ネットワーク１００は、いくつかの進化型ノードＢ（evolved Node B：ｅＮＢ）１１０と他のネットワーク構成体を含み得る。ｅＮＢは、ＵＥと通信する構成体であり、基地局、ノードＢ、アクセスポイントなどと呼ばれ得る。各ｅＮＢは、特定の地理的なエリアのための通信カバレッジを提供し得る。３ＧＰＰでは、用語「セル」は、用語が使用される文脈に応じて、ｅＮＢのカバレッジエリア、および／またはこのカバレッジエリアにサービスを提供するｅＮＢを指すことがでる。
【００１６】
ｅＮＢは、マクロセル、ピコセル、フェムトセル、および／または他のタイプのセルの通信カバレッジを提供し得る。マクロセルは、比較的大きな地理的エリア(例えば、半径で数キロメートル）をカバーし、サービスに加入しているＵＥによる無制限のアクセスを許し得る。ピコセルは、比較的小さな地理的エリアをカバーし、サービスに加入しているＵＥによる無制限のアクセスを許し得る。フェムトセルは、比較的小さな地理的エリア(例えば、家庭)をカバーし、フェムトセルとの関連を有するＵＥ(例えば、閉じた加入者グループ（Closed Subscriber Group：ＣＳＧ）中のＵＥ）による制限されたアクセスを許し得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢあるいはホームｅＮＢ（ＨｅＮＢ）と呼ばれ得る。図１に示される例において、ｅＮＢ １１０ａは、マクロセル１０２ａのためのマクロｅＮＢであってよく、ｅＮＢ１１０ｂは、ピコセル１０２ｂのためのピコｅＮＢであってよく、ｅＮＢ１１０ｃは、フェムト・セル１０２ｃのためのフェムトｅＮＢであってよい。ｅＮＢは、1つまたは複数（例えば、３つ）のセルをサポートできる。用語「ｅＮＢ」、「基地局」、および「セル」は、この中で互換的に使用され得る。
【００１７】
無線ネットワーク１００は、また、中継局を含み得る。中継局は、上流のステーション（例えば、ｅＮＢまたはＵＥ）からのデータ伝送を受け取り、下流のステーション(例えば、ＵＥまたはｅＮＢ）にデータ送信を送ることができる構成体である。中継局は、また、他のＵＥのための送信を中継することができるＵＥであってもよい。図１に示される例において、中継局１１０ｄは、ｅＮＢ １１０ａとＵＥ １２０ｄの間の通信を容易にするために、マクロｅＮＢ １１０ａとＵＥ １２０ｄとの通信を行ない得る。中継局は、また、中継ｅＮＢ、中継基地局、中継機などと呼ばれ得る。
【００１８】
無線ネットワーク１００は、例えばマクロｅＮＢ、ピコｅＮＢ、フェムトｅＮＢ、中継ｅＮＢなどの異なるタイプのｅＮＢｓを含む異種ネットワークであってよい。これらの異なるタイプのｅＮＢは、無線ネットワーク１００の中で、異なる送信電力レベル、異なるカバレッジエリア、および干渉への異なるインパクトを持ち得る。例えば、マクロｅＮＢは高い送信電力レベル(例えば５から４０ワット）を有し、一方、ピコｅＮＢ、フェムトｅＮＢ、および中継ｅＮＢは、より低い送信電力レベル(例えば、０．１から２ワット）を持ち得る。
【００１９】
ネットワークコントローラ１３０は、１組のｅＮＢと組み合わされ、これらｅＮＢのための協働とコントロールを提供する。ネットワークコントローラ１３０は、バックホールを介してｅＮＢと通信を行ない得る。ｅＮＢは、また、例えば、無線通信または有線バックホールを介して直接または間接的に、互いに通信し得る。
【００２０】
ＵＥ １２０は、無線ネットワーク１００の全体にわたって分散され得、各ＵＥは、固定または移動可能であってよい。ＵＥは、端末、移動局、加入者ユニット、ステーションなどと呼ばれ得る。ＵＥは、セルラフォン、携帯情報端末（ＰＤＡ）、無線モデム、無線通信デバイス、携帯デバイス、ラップトップコンピュータ、コードレスホン、無線ローカルループ（wireless local loop：ＷＬＬ）ステーション、スマートフォン、ネットブック、スマートブックなどであってよい。
【００２１】
図２は、図１における基地局／ｅＮＢの１つとＵＥの１つであってよい、基地局／ｅＮＢ１１０とＵＥ１２０の設計例のブロック図を示す。基地局１１０は、Ｔ個のアンテナ２３４ａないし２３４ｔを装備することができ、ＵＥ １２０は、Ｒ個のアンテナ２５２ａないし２５２ｒを装備することができ、ここで、Ｔ≧１およびＲ≧１である。
【００２２】
基地局１１０において、送信プロセッサ２２０は、１またはそれより多くのＵＥのためのデータソース２１２からのデータを受け、ＵＥから受け取られたＣＱＩに基づいて各ＵＥのための１つまたはそれより多くの変調および符号化形式（modulation and coding scheme：ＭＣＳ）を選択し、ＵＥのために選択されたＭＣＳに基づいて、各ＵＥのためのデータを処理し(例えば、エンコードし、変調する)、すべてのＵＥのためにデータシンボルを与える。送信プロセッサ２２０は、また、システム情報(例えば、ＳＲＰＩなどのため)と制御情報(例えば、ＣＱＩ要、許可、上位レイヤシグナリング、など)を処理し、オーバヘッドシンボルと制御シンボルを与え得る。プロセッサ２２０は、また、基準信号（例えば、ＣＲＳ）と同期信号(例えば、ＰＳＳやＳＳＳ）に係る基準シンボルを生成し得る。送信（ＴＸ）複数入力・複数出力（multiple-input multiple-output：ＭＩＭＯ）プロセッサ２３０は、利用可能であれば、データシンボル、制御シンボル、オーバヘッドシンボル、および／または基準シンボル上で、空間処理（例えば、プリコーディング）を行ない得、Ｔ個の変調器（ＭＯＤ）２３２ａないし２３２ｔに、Ｔ個の出力シンボルストリームを与え得る。各変調器２３２は、出力サンプルストリームを得るために、それぞれの出力シンボルストリーム（例えば、ＯＦＤＭのためなど）を処理し得る。各変調器２３２は、さらに、下りリンク信号を得るために、出力サンプルストリームを処理し得る（例えば、アナログ変換、増幅、フィルタリング、アップコンバート）。変調器２３２ａないし２３２ｔからのＴ個の下りリンク信号は、Ｔ個のアンテナ２３４ａないし２３４ｔを介して、それぞれ送信され得る。
【００２３】
ＵＥ１２０において、アンテナ２５２ａないし２５２ｒは、基地局１１０および／または他の基地局から下りリンク信号を受信し、復調器（ＤＥＭＯＤ）２５４ａないし２５４ｒに、それぞれ、受信された信号を与え得る。各復調器２５４は、入力サンプルを得るために、その受信信号を調整する（例えば、フィルタリング、増幅、ダウンコンバート、またデジタル化)。各復調器２５４は、さらに、受信シンボルを得るために、入力サンプルを処理（例えば、ＯＦＤＭのためなど）し得る。ＭＩＭＯ検知器２５６は、Ｒ個のすべての復調器２５４ａないし２５４ｒから受信シンボルを得て、利用可能であれば、受信シンボル上でＭＩＭＯ検出を行ない、検出されたシンボルを与え得る。受信プロセッサ２５８は、検出されたシンボルを処理し(例えば、復調、デコード)、ＵＥ１２０のためにデコードされたデータをデータシンク２６０に与え、デコードされた制御情報とシステム情報をコントローラ/プロセッサ２８０に与え得る。下記されるように、チャネルプロセッサ２８４は、ＲＳＲＰ、ＲＳＳＩ、ＲＳＲＱ、ＣＱＩなどを決定し得る。
【００２４】
上りリンク上で、ＵＥ １２０において、送信プロセッサ２６４は、データソース２６２からのデータを、および、コントローラ／プロセッサ２８０からの制御情報（例えば、ＲＳＲＰ、ＲＳＳＩ、ＲＳＲＱ、ＣＱＩなどを備えるレポートのため)を、 受け取り、処理し得る。プロセッサ２６４は、また、１つまたはそれより多くの基準信号に係る基準シンボルを生成し得る。プロセッサ２６４からのシンボルは、利用可能であれば、ＴＸ ＭＩＭＯプロセッサ２６６によってプリコーディングされ、さらに、変調器２５４ａないし２５４ｒによって処理され（例えば、ＳＣ−ＦＤＭ、ＯＦＤＭ、などのため)、基地局１１０に送信され得る。基地局１１０では、ＵＥ １２０および他のＵＥからの上りリンク信号は、アンテナ２３４によって受信され、復調器２３２によって処理され、利用可能であれば、ＭＩＭＯ検出器２３６によって検出され、さらに、ＵＥ１２０によって送信されたデコードされたデータと制御情報を得るために、受信プロセッサ２３８によって処理され得る。プロセッサ２３８は、データシンク２３９にデコードされた号データを、および、コントローラ／プロセッサ２４０にデコードされた制御情報を与え得る。
【００２５】
コントローラ／プロセッサ２４０および２８０は、基地局１１０とＵＥ１２０における動作を指示し得る。基地局１１０におけるプロセッサ２４０および／または他のプロセッサやモジュールは、図８におけるプロセス８００を、および／または、この中に記載された技術の他のプロセスを、実行または指示することができる。ＵＥ１２０におけるプロセッサ２８０、および／または他のプロセッサやモジュールは、図７におけるプロセス７００を、および／または、この中に記載された技術の他のプロセスを実行または指示し得る。メモリ２４２および２８２は、基地局１１０およびＵＥ１２０それぞれのためのデータとプログラムコードを格納し得る。スケジューラ２４４は、下りリンクおよび／または上りリンク上のデータ送信のためにＵＥをスケジューリングし得る。
【００２６】
図３は、ＬＴＥにおけるＦＤＤのための例示のフレーム構造３００を示す。下りリンクと上りリンクの各々のための送信タイムラインは、無線フレームのユニット（単位）に分割され得る。各無線フレームは、所定の持続期間（例えば、１０ミリ秒（ｍｓ））を持ち、０ないし９のインデックスがついた１０個のサブフレームに分割され得る。各サブフレームは、２つのスロットを含み得る。したがって、各無線フレームは、０ないし１９のインデックスがついた２０個のスロットを含み得る。各スロットは、Ｌ個のシンボル期間、例えば、通常のサイクリックプレフィックスの場合に７シンボル期間（図２に示される）を、または、拡張されたサイクリックプレフィックスの場合に６シンボル期間を、含み得る。各サブフレームにおける２Ｌ個のシンボル期間は、０ないし（２Ｌ−１）のインデックスをつけられ得る。
【００２７】
ＬＴＥにおいて、ｅＮＢは、ｅＮＢよってサポートされる各セルためのシステム帯域幅の中心の１．０８ＭＨｚにおける下りリンク上で、１次同期化信号（primary synchronization signal：ＰＳＳ）と２次同期化信号（secondary synchronization signal：ＳＳＳ）を送信し得る。図３に示されるように、ＰＳＳとＳＳＳは、通常のサイクリックプレフィックスをもつ各無線フレームのサブフレーム０と５の中で、シンボル期間６および５において、それぞれ送信され得る。ＰＳＳとＳＳＳは、セル探索と獲得のために、ＵＥによって使用され得る。ｅＮＢは、ｅＮＢによってサポートされる各セルのためのシステム帯域幅にわたってセル固有基準信号（cell-specific reference signal：ＣＲＳ）を送信し得る。ＣＲＳは、各サブフレームのあるシンボル期間において送信され、チャンネル推定、チャンネル品質計測、および／または他の機能を行なうために、ＵＥによって使用され得る。ｅＮＢは、また、ある無線フレームのスロット１の中で、シンボル期間０ないし３において物理放送チャンネル（Physical Broadcast Channel：ＰＢＣＨ）を送信し得る。ＰＢＣＨは、いくつかのシステム情報を搬送し得る。ｅＮＢは、あるサブフレームにおいて、物理下りリンク共有チャネル（Physical Downlink Shared Channel：ＰＤＳＣＨ）上でシステム情報ブロック（System Information Block：ＳＩＢ）などの他のシステム情報を送信し得る。ｅＮＢは、サブフレームの最初のＢ個のシンボル期間において、物理的下りリンク制御チャネル（Physical Downlink Control Channel：ＰＤＣＣＨ）上で制御情報／データを送信することができ、Ｂは各サブフレームについて設定可能である。ｅＮＢは、各サブフレームの残りのシンボル時期において、ＰＤＳＣＨ上で、トラフィックデータ、および／または他のデータを送信し得る。
【００２８】
図４は、通常のサイクリックプレフィックスを備えた下りリンクのための２つの例示のサブフレームフォーマット４１０および４２０を示す。下りリンクのために利用可能な時間周波数リソースは、リソースブロックに分割され得る。各リソースブロックは、１つのスロットの中の１２個のサブキャリアをカバーし、いくつかのリソースエレメントを含み得る。各リソースエレメントは、１つのシンボル期間において１つのサブキャリアをカバーし、実数または複素数であってよい１つの変調シンボルを送るために使用され得る。
【００２９】
サブフレームフォーマット４１０は、２本のアンテナを装備したｅＮＢのために使用され得る。ＣＲＳは、シンボル期間０、４、７、および１１において、アンテナ０および１から送信され得る。基準信号は、送信器によってアプリオリ（a priori）に知られる信号であり、パイロットと呼ばれてもよい。ＣＲＳは、例えば、セル識別子（identity：ＩＤ）に基づいて生成される、セルに固有の基準信号である。図４において、ラベルＲａがついた、あるリソースエレメントについて、アンテナａから、そのリソースエレメント上で変調シンボルが送信され得、どの変調シンボルも、他のアンテナからのそのリソースエレメント上では送信されない。サブフレームフォーマット４２０は、４本のアンテナを装備したｅＮＢのために使用され得る。ＣＲＳは、シンボル期間０、４、７、および１１においてアンテナ０および１から、および、シンボル期間１および８においてアンテナ２および３から、送信され得る。サブフレームフォーマット４１０および４２０の両方について、ＣＲＳは、セルＩＤに基づいて決定され得る、等間隔のサブキャリア上で送信され得る。異なるｅＮＢは、それらのセルＩＤに応じて、同じかまたは異なるサブキャリア上でそれらのＣＲＳを送信し得る。両方のサブフレームフォーマット４１０および４２０の両方について、ＣＲＳのために使用されないリソースエレメントは、送信データ（例えば、トラフィックデータ、制御データ、および／または他のデータ)を送信するために使用され得る。
【００３０】
ＬＴＥにおけるＰＳＳ、ＳＳＳ、ＣＲＳ、およびＰＢＣＨは、公に利用可能である「Evolved Universal Terrestrial Radio Access (E-UTRA); Physical Channels and Modulation」という名称の３ＧＰＰ ＴＳ ３６．２１１に記載される。
【００３１】
インタレース構造は、ＬＴＥにおけるＦＤＤのための下りリンクと上りリンクの各々のために使用され得る。例えば、０から（Ｑ−１）のインデックスがついたＱ個のインタレースが定義され得、Ｑは４、６、８、１０、あるいは他のある値に等しくてよい。各インタレースは、Ｑ個のフレームによって間隔を離されたサブフレームを含み得る。特に、インタレースｑは、
【数１】
2013524736.tif 000003
【００３２】
無線ネットワークは、下りリンクと上りリンク上でのデータ伝送のために、ハイブリッド自動再送信（hybrid automatic retransmission：ＨＡＲＱ）をサポートし得る。ＨＡＲＱについて、送信機（例えば、ｅＮＢ）は、パケットが受信機（例えば、ＵＥ）によって正しくデコードされるか、ある他の終了条件に出会うまで、パケットの1つまたは複数の送信を送り得る。同期ＨＡＲＱについて、パケットの全ての送信は、単一のインタレースのサブフレームの中で送られ得る。非同期ＨＡＲＱについて、パケットの各送信は、任意のサブフレームの中で送られ得る。
【００３３】
ＵＥは、複数のｅＮＢのカバレッジ内に位置づけられ得る。これらのｅＮＢのうちの１つは、ＵＥにサービスを提供するために選択され得る。サービス提供ｅＮＢは、受信される信号の強度（受信信号強度）、受信される信号の品質（受信信号品質）、経路損失などの様々な基準に基づいて選択され得る。受信信号品質は、信号対雑音および干渉比（signal-to-noise-and-interference ratio：ＳＩＮＲ）、あるいは、基準信号受信品質（reference signal received quality：ＲＳＲＱ）、あるいはある指標によって定量化され得る。ＵＥは、ＵＥが１または複数の干渉を与えるｅＮＢからの高い干渉を観測するような支配的な干渉シナリオにおいて動作することがある。
【００３４】
図５は、例示の支配的な干渉シナリオを示す。図５に示される例において、ＵＥ Ｔは、サービスを提供するｅＮＢ Ｙと通信し、強く／支配的な干渉を与えるｅＮＢ Ｚからの高い干渉を観測し得る。
【００３５】
支配的な干渉シナリオは、制限された連携により生じ得る。例えば、図５において、ｅＮＢ ＹはマクロｅＮＢであってよく、ｅＮＢ ＺはフェムトｅＮＢであってよい。ＵＥ Ｔは、フェムトｅＮＢ Ｚの近くに位置され、ｅＮＢ Ｚに係る高い受信電力を持ち得る。しかし、ＵＥ Ｔは、制限された連携によりフェムトｅＮＢ Ｚにアクセスすることができず、より低い受信電力をもつマクロｅＮＢ Ｙに接続され得る。そして、ＵＥ Ｔは、下りリンク上でフェムトｅＮＢ Ｚからの高い干渉を観測し得、また、上りリンク上で、フェムトｅＮＢ Ｚへの高い干渉をさらに引き起こし得る。
【００３６】
支配的な干渉シナリオは、また、ＵＥによって検出されるすべてのｅＮＢの中の、低い経路損失と、可能性としてより低いＳＩＮＲをもったｅＮＢにＵＥが接続されるようなシナリオである、範囲拡張により起こり得る。例えば、図５では、ｅＮＢ ＹはピコｅＮＢであってよく、干渉を与えるｅＮＢ ＺはマクロｅＮＢであってよい。ＵＥ Ｔは、マクロｅＮＢ ＺよりもピコｅＮＢ Ｙの近くに位置づけられ、ピコｅＮＢ Ｙに係るより低い経路損失を有し得る。しかしながら、ＵＥ Ｔは、マクロｅＮＢ Ｚと比較してより低いピコｅＮＢ Ｙの送信電力レベルにより、マクロｅＮＢ Ｚより低い、ピコｅＮＢ Ｙに係る受信電力を持ち得る。それにもかかわらず、より低い経路損失により、ピコｅＮＢ Ｙに接続することが、ＵＥ Ｔにとっては望ましい。これは、ＵＥ Ｔのための所定のデータレートについて、無線ネットワークへのより少ない干渉に帰着し得る。
【００３７】
一般的にいって、ＵＥは、任意の数のｅＮＢのカバレッジの中に位置され得る。１つのｅＮＢは、ＵＥにサービスを提供するために選択され、残りのｅＮＢは干渉ｅＮＢであり得る。したがって、ＵＥは、任意の数の干渉を与えるｅＮＢを持ち得る。明瞭のために、記載の多くは、１つのサービス提供ｅＮＢ Ｙと１つの干渉を与えるｅＮＢ Ｚをもつ、図５に示されたシナリオを仮定する。
【００３８】
支配的な干渉シナリオにおける通信は、セル間干渉調整（inter-cell interference coordination：ＩＣＩＣ）を行なうことによってサポートされ得る。ＩＣＩＣのある態様によれば、リソース調整／分割は、強い干渉を与えるｅＮＢの周辺の近くに位置するｅＮＢにリソースを割り当てるために行なわれ得る。干渉を与えるｅＮＢは、可能であればＣＲＳを除いて、割り当てられた／保護されたリソース上で送信することを避ける。そして、ＵＥは、干渉を与えるｅＮＢの存在下で、保護されたリソース上でｅＮＢと通信することができ、干渉を与えるｅＮＢからの干渉を（可能であれば、ＣＲＳを除いて）観測しない。
【００３９】
一般的にいって、時間および／または周波数リソースは、リソース分割によってｅＮＢに割り当てられ得る。ある態様によれば、システム帯域幅は、いくつかのサブバンドに分割され得、１つまたは複数のサブバンドがｅＮＢに割り当てられる。他の設計例では、１組のサブフレームは、ｅＮＢに割り当てられ得る。さらに他の設計例では、１組のリソースブロックは、ｅＮＢに割り当てられ得る。明瞭のために、以下の記載の多くは、１つまたは複数のインタレースがｅＮＢに割り当てられ得るような、時分割多重（time division multiplex：ＴＤＭ）リソース分割の設計例を仮定する。割り当てられたインタレースのサブフレームは、強い干渉を与えるｅＮＢからの縮小された干渉、あるいは、干渉がないことを観測し得る。
【００４０】
図６は、図５における支配的な干渉シナリオに中での通信をサポートするための、ＴＤＭリソース分割の例を示す。図６に示される例において、ｅＮＢ Ｙはインタレース０を割り当てられ、ｅＮＢ Ｚは、バックホールを介したｅＮＢ間のネゴシエーションによるなど、半静的または静的な方法でインタレース７を割り当てられ得る。ｅＮＢ Ｙは、インタレース０のサブフレームの中でデータを送信することができ、インタレース７のサブフレームの中でのデータ送信を避ける。反対に、ｅＮＢ Ｚは、インタレース７のサブフレームの中でデータを送信することができ、インタレース０のサブフレームの中でのデータ送信を避ける。残りのインタレース１ないし６のサブフレームは、ｅＮＢ Ｙおよび／またはｅＮＢ Ｚに、適応的に／動的に、割り当てられ得る。
【００４１】
表１は、１つの設計例に従った異なるタイプのサブフレームをリストする。ｅＮＢ Ｙの見地から、ｅＮＢ Ｙに割り当てられるインタレースは、ｅＮＢ Ｙによって使用されることができ、干渉を与えるｅＮＢからの干渉がほとんどないか、全くない、「保護された」サブフレーム(Ｕサブフレーム)を含み得る。他のｅＮＢ Ｚに割り当てられたインタレースは、データ送信のためにｅＮＢ Ｙによって使用されることができない、「禁止された」サブフレーム（Ｎサブフレーム）を含み得る。どのｅＮＢにも割り当てられないインタレースは、異なるｅＮＢによって使用されることができる「共通」サブフレーム（Ｃサブフレーム）を含み得る。適応的に割り当てられるサブフレームは、「Ａ」の接頭字をつけて示される、保護されたサブフレーム（ＡＵサブフレーム）、または禁止されたサブフレーム（ＡＮサブフレーム）、あるいは共通サブフレーム（ＡＣサブフレーム）であってよい。異なるタイプのサブフレームは、また、他の名称で呼ばれてもよい。例えば、保護されたサブフレームは予約されたサブフレーム、割り当てられたサブフレーム、などと呼ばれ得る。
【表１】
2013524736.tif 000004
【００４２】
ある態様によれば、ｅＮＢは、そのＵＥに静的なリソース分割情報（ＳＲＰＩ）を送信し得る。ある態様によれば、ＳＲＰＩは、Ｑ個のインタレースのためのＱ個のフィールドを含み得る。各インタレースのためのフィールドは、ｅＮＢに割り当てられるＵサブフレームを含むインタレースを示すために「Ｕ」に、他のｅＮＢに割り当てられているＮサブフレームを含むインタレースを示すために「Ｎ」に、あるいは、任意のｅＮＢに適応的に割り当てられているＸサブフレームを含むインタレースを示すために「Ｘ」に、設定され得る。ＵＥは、ｅＮＢからＳＲＰＩを受信し、ＳＲＰＩに基づいてｅＮＢに係るＵサブフレームとＮブフレームを特定することができる。ＳＲＰＩにおいて「Ｘ」とマークされたインタレースの各々について、ＵＥは、そのインタレースにおけるＸのサブフレームが、ＡＵサブフレーム、またはＡＮサブフレーム、またはＡＣサブフレームであるかどうかを知らない可能性がある。ＵＥは、ＳＲＰＩを介してリソース分割の半静的な部分だけを知り得るが、ｅＮＢは、リソース分割の半静的な部分と適応的な部分の両方を知り得る。図６に示される例において、ｅＮＢ ＹのためのＳＲＰＩは、インタレース０について「Ｕ］、インタレース７について「Ｎ」、残りの各インタレースについて「Ｘ」を含み得る。ｅＮＢ ＺのためのＳＲＰＩは、インタレース７について「Ｕ」、インタレース０について「Ｎ」、および残りの各インタレースについて「Ｘ」を含み得る。
【００４３】
ＵＥは、サービスを提供するｅＮＢからのＣＲＳに基づいて、サービス提供ｅＮＢの受信信号品質を推定し得る。ＵＥは、受信信号品質に基づいてＣＱＩを決定し、サービス提供ｅＮＢにＣＱＩを報告し得る。サービス提供ｅＮＢは、ＵＥへのデータ送信のための変調および符号形式（modulation and coding scheme：ＭＣＳ）を選ぶため、リンクアダプテーション（適応）用にＣＱＩを使用し得る。異なるタイプのサブフレームは、異なる量の干渉をもち、かなり異なるＣＱＩをもち得る。特に、保護されたサブフレーム（(例えば、ＵおよびＡＵサブフレーム)は、支配的な干渉を与えるｅＮＢがこれらのサブフレームにおいて送信をしないので、より良好なＣＱＩの特徴をもつ。対照的に、ＣＱＩは、１または複数の支配的な干渉を与えるｅＮＢが送信することができる他のサブフレーム（例えば、Ｎ、ＡＮ、およびＡＣサブフレーム）についてはは、かなり悪くなり得る。ＣＱＩの観点から、ＡＵサブフレームはＵサブフレームと等価であり（両方が保護される）、ＡＮサブフレームはＮサブフレームと等価であり(両方が禁止されます)得る。ＡＣサブフレームは、完全に異なるＣＱＩによって特徴づけられ得る。良好なリンクアダプテーション性能を達成するために、サービスを提供するｅＮＢは、ｅＮＢがＵＥにトラフィックデータを送信する各サブフレームについて、比較的正確なＣＱＩを有すべきである。
【００４４】
＜ＲＳＲＰとＲＳＲＱの計測＞
ある態様では、ＵＥは、ターゲットｅＮＢに係るＵサブフレームと干渉ｅＮＢに係るＮサブフレームのその知識を使用することにより、受信された電力（受信電力）や受信された品質（受信品質）などの、受信された信号に基づいた１または複数の計測を行う。受信品質の正確な計測は、（ｉ）ＵＥにおけるターゲットｅＮＢの正確な計測、（ｉｉ）ＵＥにおける合計受信電力の正確な計測、を用いて得られる。ある態様によれば、ＵＥは、ＵとＮのサブフレームのその知識を使用することにより、より正確な受信電力計測と合計受信電力計測を得ることができる。
【００４５】
サブフレームを基にした分割は、詳細に記載されるが、本技術に習熟した者は、この中に記載された技術が、保護されたリソースに帰着する任意のタイプのリソース分割を用いて適用され得ることを認識する。そのような保護されたリソースは、例えば、近隣のセルにおける送信が禁止されるか制限されるサブバンドあるいはリソースブロックを備え、結果、干渉を与える基地局（ｅＮＢ）からの干渉がない、または縮小された干渉となり得る。
【００４６】
表２は、ＵＥによって行われ得る１組の計測をリストする。ＵＥは、ＲＳＲＰとＲＳＳＩを計測し、そして、ＲＳＲＰとＲＳＳＩに基づいてＲＳＲＱを計算処理し得る。そして、ＵＥは、ＲＳＲＱに基づいてＣＱＩを決定し得る。
【表２】
2013524736.tif 000005
【００４７】
ＵＥは、ターゲットｅＮＢのＵサブフレームにおいて計測を行い、干渉を与えるｅＮＢからの干渉がないか、縮小された干渉を有し得る、ＵサブフレームにかかるＣＱＩを決定し得る。Ｕサブフレームは、これらのサブフレームに係るＣＱＩが干渉を与えるｅＮＢからの保護に拠ってより高い可能性があるので、ＵＥへのデータ送信のためにターゲットｅＮＢによって最初に選択され得る。Ｕサブフレームに係るＣＱＩは、支配的な干渉を与えるｅＮＢがデータを送信しないサブフレーム上でそれが計測されることを強調するため、「クリーンな」ＣＱＩと呼ばれ得る。ＵＥは、ターゲットに係るＳＲＰＩを受信し、ＳＲＰＩに基づいてターゲットｅＮＢのＵサブフレームを特定することができる。代わりに、ＵＥは、計測を行なうべきＵサブフレームについて知らされ得る。
【００４８】
ターゲットｅＮＢは、そのＵサブフレームにおいてＣＲＳとデータを送信し得る。上に記載されるように、サービスｅＮＢに係るこれらのＵサブフレームは、１または複数の干渉を与えるｅＮＢのＮサブフレームに対応し得る。干渉を与えるｅＮＢの各々は、また、そのＮサブフレームにおいてＣＲＳを送信し得る（しかし、データはしない）。各ｅＮＢは、そのセルＩＤに基づいて決定され得る１組の等間隔のサブキャリア上でそのＣＲＳを送信し得る。
【００４９】
ある態様によれば、ＵＥは、ターゲットｅＮＢのＵサブフレームにおいてＲＳＲＰを計測し得る。ＵＥは、ＵサブフレームにおけるターゲットｅＮＢからのＣＲＳに基づいてＲＳＲＰを計測し得る。ターゲットｅＮＢからのＣＲＳは、このＵサブフレームに対応するＮサブフレームをもった、干渉を与えるｅＮＢからのデータによる干渉を観測しないことになる。しかしながら、ターゲットｅＮＢからのＣＲＳは、ＮサブフレームにおいてＣＲＳを送信し得る干渉を与えるｅＮＢからのＣＲＳによる干渉を、観測することもあり、また観測しないこともあり得る。ターゲットｅＮＢと干渉を与えるｅＮＢがサブキャリアの同じ組の上でそれらのＣＲＳを送信する場合、ＣＲＳ衝突が起こる。ＵＥは、各ｅＮＢについて、そのｅＮＢによって送信されたＰＳＳとＳＳＳに基づいてセルＩＤを得て、ターゲットｅＮＢと干渉を与えるｅＮＢのセルＩＤに基づいて、ＣＲＳ衝突があるかどうかを決定し得る。
【００５０】
ある態様によれば、ターゲットｅＮＢのＣＲＳと干渉を与えるｅＮＢのＣＲＳの間に衝突がある場合、ＵＥは、干渉消去（interference cancellation：ＩＣ）を行ない得る。この態様によれば、ＵＥは、干渉を与えるｅＮＢのＣＲＳによる干渉を推定し、干渉消去された信号を得るために、ＵＥにおいて、受信信号から、推定された干渉を消去し得る。そして、ＵＥは、干渉消去された信号におけるターゲットｅＮＢのＣＲＳに基づいてＲＳＲＰを計測し得る。ＵＥは、ＣＲＳ衝突が生じる場合、干渉を与えるｅＮＢのＣＲＳによる干渉を消去することにより、より正確なＲＳＲＰ計測を得ることができる。他の態様では、ＵＥは、ＣＲＳ衝突が生じる場合でも、干渉消去を行うことなく、ＲＳＲＰを計測してもよい。
【００５１】
ある態様によれば、ＵＥは、ターゲットｅＮＢのＵサブフレームにおいてＲＳＳＩを計測し得る。ＵＥは、ターゲットｅＮＢによってそのＣＲＳを送信するために使用されるリソースエレメントの合計受信電力を計測し得る。合計受信電力は、他のｅＮＢ、熱雑音、などからの干渉を含み得る。
【００５２】
ある態様によれば、ＵＥは、ターゲットｅＮＢのＵサブフレームにおいてデータを送信するであろう干渉を与えるｅＮＢのＣＲＳの受信電力を推定し、除き得る。ターゲットｅＮＢのＵサブフレームが干渉を与えるｅＮＢのＮサブフレームに対応することを干渉を与えるｅＮＢに係るＳＲＰＩが示す場合、ＵＥは、干渉を与えるｅＮＢがＵサブフレームにおいてデータを送信しないだろうことを決定することができる。そして、ＵＥは、合計受信電力から、干渉を与えるｅＮＢのＣＲＳの受信電力を除き得る。ＵＥは、干渉を与えるｅＮＢのＣＲＳの受信電力の除くことにより、より正確なＲＳＳＩ計測を得ることができる。干渉を与えるｅＮＢは、Ｕサブフレームにおいてデータを送信せず、ターゲットｅＮＢによりデータを送信するために使用されるリソース上での合計受信電力に寄与しないことになる。
【００５３】
ある態様によれば、ＵＥは、以下のように、ターゲットｅＮＢに係るＲＳＲＱを計算処理し得る:
【数２】
2013524736.tif 000006
【００５４】
ここでＮＲＢはＲＳＳＩ計測のために使用されるリソースブロックの数である。
【００５５】
ＵＥは、ＵサブフレームにおいてターゲットｅＮＢのＲＳＲＰとＲＳＳＩを計測し得る。ＵＥは、また、ターゲットｅＮＢのＵサブフレームに対応するＮサブフレームをもつ干渉を与える各ｅＮＢのＲＳＲＰを計測し得る。干渉を与える各ｅＮＢのＲＳＲＰは、干渉を与えるｅＮＢのＣＲＳによる干渉を示し得る。式（１）に示されるように、ＵサブフレームにおいてＵＥによって観測される合計干渉とノイズのより正確な計測であり得る、修正されたＲＳＳＩを得るために、干渉を与える各ｅＮＢのＲＳＲＰは、計測され、ＲＳＳＩから引かれ得る。そして、ＲＳＲＱは、修正されたＲＳＳＩに対するターゲットｅＮＢのＲＳＲＰの比として計算され得る。このＲＳＲＱは、Ｕサブフレームにおける、ターゲットｅＮＢに係るＵＥでの受信品質のより正確な計測であり得る。
【００５６】
一般的にいって、ＲＳＲＱの計測のために、ＵＥは、計測に使用されるサブフレームがＮサブフレームである、干渉を与えるｅＮＢの受信電力またはエネルギーを引いてもよい。ＵＥは、これらｅＮＢのＳＲＰＩに基づいて、干渉を与えるｅＮＢのＮサブフレームを決定し得る。干渉を与えるｅＮＢは、それらのＮサブフレームにおいて、データは送らずに、ＣＲＳを送信し得る。従って、干渉を与えるｅＮＢのＣＲＳの影響は、ターゲットｅＮＢに係るＲＳＲＰ計測とＲＳＳＩ計測との両方のために、推定され、除かれ得る。式（１）に示されるように計算処理されたＲＳＲＱは、ＴＤＭリソース分割から生じる保護を獲得し得る。
【００５７】
表３は、１つの態様に従った、ＲＳＲＰについての概略の記載を提供する。
【表３】
2013524736.tif 000007
【００５８】
表４は、１つの態様に従った、ＲＳＳＩについての概略の記載を提供する。
【表４】
2013524736.tif 000008
【００５９】
表５は、１つの態様に従った、ＲＳＲＱについての概略の記載を提供する。
【表５】
2013524736.tif 000009
【００６０】
一般的にいって、良好なリンクアダプテーションの性能を得るために、ＵＥにおいてデータを送信するために使用されるリソース（または、データリソース）上の受信品質の正確な計測を得ることが望ましい。しかし、ＵＥは、ＣＲＳを送信するために使用されるリソース（または、ＣＲＳリソース）上でのみ計測を行なうことができる。ＣＲＳリソースの受信品質は、データリソースの受信品質の推定として使用され得る。しかし、ＣＲＳリソースとデータリソース上で観測される異なる干渉により、ＣＲＳリソースの受信品質とデータリソースの受信品質との間には不一致があり得る。例えば、干渉を与えるｅＮＢは、データリソース上でではなく、ＣＲＳリソース上で送信し得る。上記されたように、不一致は、ターゲットｅＮＢと干渉を与えるｅＮＢに係るリソース分割上の情報を用いることにより、ＣＲＳリソース上の干渉を推定し、除くことによって対処される。干渉の影響を除いた後、ＣＲＳリソースの受信品質は、データリソースの受信品質とより近くで一致し得る。
【００６１】
図７は、受信電力および受信品質の計測を行なうための動作例７００を示す。動作７００は、ＵＥによって（下記されるように）、あるいは他のある構成体によって行なわれ得る。
【００６２】
７１２において、ＵＥは、第１のセル（例えば、サービスを提供するセル）における送信が、少なくとも第２のセルにおける送信を制限することによって保護される、リソースの第１の組を決定し得る。例えば、リソースの第１の組は、サービスを提供するセルのためにＵサブフレームとして指定され、（干渉を与える可能性のある）近隣セルのためにＮサブフレームとして指定されたサブフレームを備える。
【００６３】
７１４において、ＵＥは、リソースの第１の組において、基地局からの第１の基準信号の受信電力を計測し得る。例えば、ＵＥは、保護された（Ｕ）サブフレームにおいて送信された第１の基準信号の受信電力に基づいて、基地局のＲＳＲＰを決定し得る。
【００６４】
ある態様によれば、ＵＥは、ＲＳＲＰに係る干渉消去を行ない得る。ＵＥは、基地局に割り当てられたサブフレームにおいてデータを送信することを禁じられた、干渉を与える基地局を特定し得る。ＵＥは、サブフレームにおける干渉を与える基地局からの第２の基準信号による干渉を推定し得る。ＵＥは、干渉消去された信号を得るために、受信信号から、推定された干渉を引く、または消去し得る。そして、ＵＥは、干渉消去された信号に基づいて、第１の基準信号の受信電力を計測し得る。ＵＥは、第１の基準信号が第２の基準信号と衝突するかどうかを決定し、衝突が検出される場合、第２の基準信号による干渉を推定し、消去し得る。
【００６５】
７１６において、ＵＥは、リソースの第１の組における合計受信電力を計測し得る。そして、７１８で、ＵＥは、第１の基準信号の受信電力とリソースの第１の組における合計受信電力に基づいて、基地局からの第１の基準信号（first reference signal：ＲＳＲＱ）の受信品質を決定することができる。例えば、ＵＥは、リソースの第１の組において送られたＣＲＳの受信品質と保護されたサブフレームにおける合計受信電力とに基づいて、基地局のＲＳＲＱを決定し得る。
【００６６】
ある態様によれば、ＵＥは、合計受信電力から異質（extraneous）な受信電力を取り除き得る。ＵＥは、サブフレームにおける干渉を与える基地局からの第２の基準信号の受信電力を推定し、修正された合計受信電力を得るために、サブフレームにおける合計受信電力から、第２の基準信号の受信電力を引き得る。そして、ＵＥは、例えば、上記の式（１）に示されたように、修正された合計受信電力に基づいて、第１の基準信号の受信品質を決定し得る。
【００６７】
ある態様によれば、ＵＥは、基地局に係るＳＲＰＩを受け、このＳＲＰＩに基づいて、基地局に割り当てられたサブフレームを特定し得る。ある態様によれば、ＵＥは、干渉を与える基地局に係るＳＲＰＩを受け取り、このＳＲＰＩに基づいて、基地局に割り当てられたサブフレームにおいて干渉を与える基地局がデータを送信することを禁止されていることを決定し得る。サブフレームは、基地局および少なくとも１つの干渉を与える基地局についてのリソース分割によって基地局に半静的に割り当てられ得る。
【００６８】
図８は、（図７の動作７００にしたがって得られた) 計測を受けるための動作８００の例である。動作８００は、基地局／ｅＮＢ（下記のような）、あるいはある他の構成体によって行なわれ得る。
【００６９】
８１２において、第１のセルにおける送信が少なくとも第２のセルにおける送信を制限することによって保護されるリソース（例えば、Ｕサブフレーム）の第１の組を決定し得る。８１４において、基地局は、リソースの第１の組において基地局から送られた第１の基準信号の受信電力に基づく、ＵＥによってなされた計測を得る。
【００７０】
ある態様によれば、計測は、基地局のＲＳＲＰを備える。ＲＳＲＰは、ＵＥのためにサービスを提供する基地局を選択するような様々な目的のために使用され得る。第１の基準信号の受信電力は、サブフレームにおける干渉を与える基地局からの第２の基準信号による干渉を推定し、消去した後で、ＵＥによって計測され得る。
【００７１】
他の設計例では、計測は、基地局のＲＳＲＱを備え得る。ＲＳＲＱは、ＵＥにデータを送るための変調と符号化の形式を選択するような様々な目的のために使用され得る。ＲＳＲＱは、基地局に割り当てられたサブフレームにおける、ＵＥでの第１の基準信号の受信電力と合計受信電力に基づいて得られる。合計受信電力は、干渉を与える基地局から第２の基準信号の受信電力を除くことができ、それは、ＲＳＲＱの正確さを改善し得る。
【００７２】
ある態様によれば、基地局は、基地局に係るＳＲＰＩを送り得る。ＳＲＰＩは、基地局に割り当てられたサブフレームを搬送する。サブフレームは、基地局および少なくとも1つの干渉を与える基地局のためのリソース分割によって、基地局に半静的に割り当てられ得る。
【００７３】
ある態様によれば、ＲＳＲＱの定義は、ＵＥのリリース（版）と能力に依存して変わり得る。干渉消去の能力のないＵＥ（非ＩＣ ＵＥ）は、ＲＳＲＱの定義を変更しなくてもよい（例えば、従来の定義を使用してもよい）。いわゆる発展型非ＩＣ ＵＥは、受信信号強度指示子（received signal strength indicator）ＲＳＳＩを修正し得る。発展型非ＩＣ ＵＥは、例えば、選択された干渉を与えるセルのＣＲＳ電力をＲＳＳＩ計算処理から除くことにより、ＲＳＳＩを修正し得る。例えば、無衝突・セル固有ＣＲＳは、ＲＳＳＩ計算処理から除かれ得、一方、衝突ＲＳは、計算処理において維持され得る。ある態様にしたがって、干渉消去を行う能力のあるＵＥ（ＩＣ ＵＥ）は、ＲＳＳＩ計算処理から、干渉を与えるセルのＣＲＳコンポーネント（成分）を取り除き得る。
【００７４】
ある態様によれば、ｅＮＢは、ＲＳＲＰ／ＲＳＲＱ閾値を定義し得る。ｅＮＢによって定義されるようなＲＳＲＰ／ＲＳＲＱ閾値は、どの定義がＲＳＳＩを計算処理し、計測するために使用されるかに依存し得る。ＲＳＲＰ／ＲＳＲＱ閾値は、イベントを定義することと、Ｑ−ｒｘＬｅｖＭｉｎなどの様々なパラメータを計算処理することを含む様々な目的のために使用され得る。
【００７５】
ある態様によれば、ＲＳＳＩを計算処理する場合、ＵＥは、近隣セルのうちのいくつかからの干渉をはぎ取ることができる。例えば、ＵＥは、セル固有基準信号の干渉消去（interference cancellation of cell-specific reference signals：ＣＲＳ−ＩＣ）を通して干渉をはぎ取り得る。ＵＥは、また、ＲＳＳＩ計算処理から対応するＲＳＲＰを除くことにより、干渉をはぎ取り得る。
【００７６】
ＵＥは、いくつかの方法によってどのセルをはぎ取るべきかを決定し得る。１つの実施形態では、ＵＥは、ＳＲＰＩベースのアプローチを使用する。ＵＥは、また、どのセルがはぎ取られるべきか、ブラインドに決めてもよい。例えば、ＵＥは、ＣＳＧである最も強い近隣のセル、または、ＩＣが非ＩＣと比較して十分な利得を与えるようなセルを、決定し得る。
【００７７】
ＵＥは、また、ＰＣＩ範囲（PCI-range）アプローチを使用することができる。ＰＣＩ範囲アプローチにおいて、ＲＳＳＩ計算処理を行なうときにＵＥがはぎ取ると想定しているＰＣＩ範囲のリストを、セルは放送し得る。いくつかの実施形態において、ＣＳＧ ＰＣＩ範囲は、既に提供され、再使用されていてもよい。マクロ−ピコの設計例では、セルは、それを用いてピコがリソースを分割しているマクロのＰＣＩ範囲を提供し得る。例えば、ピコのＲＳＳＩを計算処理するとき、ＵＥは、これらセルからの干渉を除き得る。
【００７８】
図９は、ＲＳＳＩを計算処理する間に、例えばＵＥによって行なわれ得る動作例９００を示す。
【００７９】
９１２で、ＵＥは、第１のセルの基地局に割り当てられた、１組の保護されたリソースにおける制限された送信を有する近隣基地局のサブセットを決定し得る。例えば、ＵＥは、ＲＰＩに基づいて、保護された（Ｕ）サブフレーム上での制限された送信をもつ近隣基地局を決定し得る。
【００８０】
９１４において、リソースの組に係る信号品質計測を計算処理する場合、ＵＥは、近隣セルのサブセットに係る受信電力計測を除外しき得る。例えば、保護されたサブフレームにおいて、ＵＥは、ＣＲＳ−ＩＣを介して、あるいは対応するＲＳＲＰをＲＳＳＩから取り除くことにより、セルをはぎ取ることができる。ＵＥは、ＲＳＳＩを計算処理するとき、近隣セルのうちのいくつかからの干渉からはぎ取り得る。
【００８１】
この中に記載されるように、ＲＳＲＱ推定について、近隣セルのＳＲＰＩが知られている場合、ＵＥは、計測に使用されるそれのサブフレームが「Ｎ」とマークされている近隣セルからのエネルギーを引き得る。Ｎが送信のために使用されないので、新しい定義にしたがって評価されるＲＳＲＱは、ＴＤＭ分割から生じる保護を考慮に入れている。どのデータも「Ｎ」サブフレーム上で送信されないが、基準シンボルは送信されるという事実は、ＩＣベースのＲＳＲＱ計測などの適切なＩＣ技術を通じて考慮され得る。また、近隣セル上で計測されたＲＳＲＰは、再び干渉消去を利用して、ターゲットセルのＲＳＳＩ（したがって、ＲＳＲＱ）を評価するために使用されてもよい。また、他のセル計測オプションはが利用可能である。例えば、ＵＥは、ＳＲＰＩが知られている場合、ターゲットセルのＵサブフレームを使用し、あるいはターゲットセルのＳＲＰＩが不知の場合、サービス提供セルのＵまたはＮのサブフレームを使用し得る。
【００８２】
当技術において技量をもつ者は、情報と信号が様々な異なる技術や技法のいずれかを使用して表わされ得ることを理解する。例えば、以上の記載を通じて参照され得る、データ、命令、コマンド、情報、信号、ビット、シンボル、およびチップは、電圧、電流、電磁波、磁場または粒子、光の場または粒子、あるいはそれらの任意の組合せによって表わされ得る。
【００８３】
当業者は、さらに、この中の開示に関連して記載された様々な例示の論理ブロック、モジュール、回路、およびアルゴリズムのステップが、電子ハードウェア、コンピュータソフトウェア、あるいは両方の組合せとして実装され得ることを認識する。ハードウェアとソフトウェアのこの互換性を明瞭に例証するために、様々な例示のコンポーネント、ブロック、モジュール、回路、およびステップは、それらの機能性の観点で、一般的に上に記載されている。そのような機能がハードウェアまたはソフトウェアとして実装されるかどうかは、システム全体に課される特定の用途や設計上の制約に依存する。技量を有する技術者は、記載された機能を、特定の用途の各々のために様々な方法で実装し得るが、そのような実装の決定は、本開示の範囲からの逸脱を生じることとは解釈されるべきでない。
【００８４】
この中の開示に関連して記載された、様々な例示の論理ブロック、モジュール、および回路は、汎用プロセッサ、デジタル信号プロセッサ（ＤＳＰ）、特定用途向け集積回路（ＡＳＩＣ）、フィールドプログラムゲートアレイ（ＦＰＧＡ）や他のプログラマブルロジックデバイス、個別ゲートまたはトランジスタロジック、個別ハードウェアコンポーネント、または、この中に記載された機能を実行するために設計された上記の任意の組合せを用いて実装され得る。汎用プロセッサはマイクロプロセッサであってよく、代わりに、プロセッサは、任意の従来のプロセッサ、コントローラ、マイクロコントローラ、またはステートマシンであってよい。また、プロセッサは、計算処理装置の組み合わせ、例えば、ＤＳＰとマイクロプロセッサの組合せ、複数のマイクロプロセッサ、ＤＳＰコアに接続された１つまたは複数のマイクロプロセッサ、あるいは他の任意の同様な構成、として実装され得る。
【００８５】
この中の開示に関連して記載された方法またはアルゴリズムのステップは、ハードウェアにおいて直接に、プロセッサによって実行されるソフトウェアモジュールにおいて、あるいは先の２つの組合せにおいて具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、あるいは当技術で知られている任意の形態の格納媒体の中に存在し得る。例示の格納媒体はプロセッサに接続され、該プロセッサは、格納媒体から情報を読出し、格納媒体に情報を書き込むことができる。代わりに、格納媒体は、プロセッサと一体であってもよい。プロセッサと格納媒体はＡＳＩＣの中に存在してもよい。ＡＳＩＣはユーザ端末の中に存在してもよい。代替例では、プロセッサと格納媒体は、ユーザ端末の個別部品として存在してもよい。
【００８６】
１つまたは例示の設計例では、記載された機能は、ハードウェア、ソフトウェア、ファームウェア、あるいはそれらの任意の組合せの中で実装され得る。ソフトウェアの中に実装されるならば、機能は、コンピュータ可読媒体上の１つまたは複数の命令として格納され、または、送信され得る。コンピュータ可読媒体は、コンピュータプログラムの１か所から他所への搬送を容易にする任意の媒体を含む、コンピュータ格納媒体と通信媒体の両方を含む。格納媒体は、汎用または特定用途コンピュータによってアクセスされることができる、任意の利用可能な媒体であってよい。限定ではなく例示として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置あるいは他の磁気記憶装置、あるいは、命令またはデータ構造の形態で所望のプログラムコード手段を搬送または記憶するために使用されることができ、汎用または特定用途コンピュータ、あるいは、汎用または特定用途プロセッサによってアクセスされることができる任意の他の媒体、を備え得る。また、任意の接続も、正しく、コンピュータ可読媒体の用語で呼ばれる。例えば、ソフトウェアが、同軸ケーブル、光ファイバケーブル、撚り対線、デジタル加入者線（ＤＳＬ）、あるいは、赤外線、無線、およびマイクロ波などの無線技術を使用して、ウェブサイト、サーバ、あるいは他の遠隔の出所から送信される場合、該同軸ケーブル、光ファイバケーブル、撚り対線、ＤＳＬ、あるいは、赤外線、無線ラジオ、およびマイクロ波などの無線技術は、媒体の定義に含まれる。ディスク（diskおよびdisc）は、この中で使われる場合、コンパクトディスク（ＣＤ）、レーザーディスク（登録商標）、光ディスク、デジタル・バーサタイル・ディスク（ＤＶＤ）、フロッピー（登録商標）ディスク、およびブルーレイ（blu-ray）ディスクを含み、「disk」は、通常、磁気的にデータを再生し、「disc」は、レーザーを用いて光学的にデータを再生する。また、上記のものの組合せも、コンピュータ可読媒体の範囲に含まれる。
【００８７】
本開示の以上の記載は、当技術において技量を有する者が本開示を製造または使用することを可能にするために提供される。本開示への様々な改変は、本技術における技量を有する者に容易に明らかであり、この中に定義された総括的な概念は、本開示の精神または範囲から逸脱せずに、他の態様に適用され得る。したがって、本開示は、この中に記載された例や設計例に限定されるようには意図されず、この中に記載された原理や新規な態様に合致する最も広い範囲を与えられるべきである。
【図１】
2013524736.tif 000012
【図２】
2013524736.tif 000013
【図３】
2013524736.tif 000014
【図４】
2013524736.tif 000015
【図５】
2013524736.tif 000016
【図６】
2013524736.tif 000017
【図７】
2013524736.tif 000018
【図８】
2013524736.tif 000019
【図９】
2013524736.tif 000020
【国際調査報告】
2013524736.tif 000021
2013524736.tif 000022
2013524736.tif 000023